(57)【要約】【課題】流し台を使用している人の衣服等の濡れを防止するために、流し台の手前側の縁部に貼り付けて手軽に使用することができる流し台用の吸水テープを提供する。【解決手段】吸水層２の一面に接着層３を設け、接着層３は、吸水層２の側が凸の折り目３ａをテープ長手方向に沿って形成してあり、折り目３ａと交差した複数の溝部をテープ長手方向に離隔するように並べて設けてある。接着層３は、複数の微小気泡を有する粘着性の樹脂層である。【選択図】図３
2010259574.tif 000002
【特許請求の範囲】
【請求項１】
吸水層を備え、該吸水層の一面に接着層を設けた吸水テープにおいて、
前記接着層は、表面にテープ長手方向に沿った溝を有していることを特徴とする流し台用の吸水テープ。
【請求項２】
前記接着層は、吸水層の側が凸のテープ長手方向に沿った折り目の吸水層とは反対側の凹部によって前記溝を形成してあることを特徴とする請求項１に記載の流し台用の吸水テープ。
【請求項３】
前記接着層は、テープ長手方向と交差した複数の溝部をテープ長手方向に離隔するように並べて設けてあることを特徴とする請求項１又は２に記載の流し台用の吸水テープ。
【請求項４】
前記接着層は、複数の微小気泡を有する粘着性の樹脂層であることを特徴とする請求項１から３の何れか１項に記載の流し台用の吸水テープ。 
【発明の詳細な説明】
【技術分野】
【０００１】
本発明は、台所等の流し台の手前側の縁部に貼り付ける流し台用の吸水テープに関する。
【背景技術】
【０００２】
台所の流し台で洗い物をする場合に、手前側に飛び散った水が流し台の手前側の天板縁部に付着し、流し台にて洗い物をする人の衣服の前部あるいはエプロン等を濡らす場合がある。従来、かかる不都合を回避する手段として、上下に昇降操作自在な吸水部材を流し台の手前側に立設させて飛散した水を吸い取り、不使用時は吸水部材を下側に収納するようにした跳ね返り水受け止め器具がある（特許文献１参照）。
【０００３】
また吸水テープに関連する技術として、洋式便器の外周面の下端部と床面とのコーナー部に貼り付ける保液テープが公知である（特許文献２参照）。
【０００４】
【特許文献１】特開２００４−８９５０２号公報
【特許文献２】特許第４１６４４４０号公報
【発明の開示】
【発明が解決しようとする課題】
【０００５】
特許文献１に記載の跳ね返り水受け止め器具は、大掛かりな装置であって設置が簡単ではなく、流し台の前側に位置するため邪魔になり、また使用時にいちいち操作する手間も面倒である。
特許文献２に記載の保液テープは、凹状のコーナー部に貼り付けるものであり、流し台の手前側の縁部に貼り付ける吸水テープとして使いにくい問題があった。
【０００６】
本発明は、上述したような事情に鑑みてなされたものであり、流し台にて洗い物をする人の衣服等の濡れを防止するために、流し台の手前側の縁部に貼り付けて手軽に使用することができる流し台用の吸水テープを提供することを目的とする。
【課題を解決するための手段】
【０００７】
第１の発明に係る流し台用の吸水テープは、吸水層を備え、該吸水層の一面に接着層を設けた吸水テープにおいて、前記接着層は、表面にテープ長手方向に沿った溝を有していることを特徴とする。
【０００８】
第１の発明においては、吸水テープをテープ幅方向に接着層を内側にして折り曲げると、接着層はテープ長手方向に沿った溝で屈曲した状態になるので、テープ長手方向に沿った溝を流し台の手前側の縁部の上面と該上面の外側端部に連なる外側面とがなす角部付近に位置合わせして、接着層を流し台の手前側の縁部の上面と外側面とに貼り付けることで、吸水テープを流し台の手前側の縁部に適切に貼り付けることができる。
【０００９】
第２の発明に係る流し台用の吸水テープは、前記接着層は、吸水層の側が凸のテープ長手方向に沿った折り目の吸水層とは反対側の凹部によって前記溝を形成してあることを特徴とする。
【００１０】
第２の発明においては、吸水テープをテープ幅方向に接着層を内側にして折り曲げると、接着層はテープ長手方向に沿った折り目の吸水層とは反対側の凹部で屈曲するとともに、吸水層の側の凸部が吸水層に食い込み、吸水層の表面が折り目に沿って鋭角に屈曲した状態になるので、テープ長手方向に沿った折り目を流し台の手前側の縁部の上面と該上面の外側端部に連なる外側面とがなす角部付近に位置合わせして、接着層を流し台の手前側の縁部の上面と外側面とに貼り付けることで、吸水テープを流し台の手前側の縁部の上面と外側面との角部の形状に一層適切に沿わせて貼り付けることができる。
【００１１】
第３の発明に係る流し台用の吸水テープは、前記接着層は、テープ長手方向と交差した複数の溝部をテープ長手方向に離隔するように並べて設けてあることを特徴とする。
第３の発明においては、吸水テープを流し台の手前側の縁部に押し付けたとき、複数の溝部の間の区分された接着層の部分は該縁部の表面に当接し、各溝部では接着層は該縁部の表面から離れているので、複数の溝部間の接着層の部分に押圧力が集中して良好に接着することができ、また、吸水テープを引っ張ってテープ長手方向の一端部から他端部に順次はがすときに、複数の溝部間の区分された各接着層の部分がテープ長手方向の一端部から他端部の順ではがれるので、接着層を綺麗にはがすことができる。
【００１２】
第４の発明に係る流し台用の吸水テープは、前記接着層は、複数の微小気泡を有する粘着性の樹脂層であることを特徴とする。
第４の発明においては、粘着性の樹脂層の表面に開口した複数の微小気泡が真空吸着作用をなすことによって当該樹脂層が流し台の手前側の縁部の表面に吸着され、また、樹脂層が粘着性によって該縁部の表面に粘着するので、吸水テープを流し台の手前側の縁部の表面に良好に接着することができる。
【発明の効果】
【００１３】
第１の発明に係る流し台用の吸水テープによれば、吸水テープをテープ幅方向に接着層を内側にして折り曲げたときに生じるテープ長手方向に沿った屈曲部を流し台の手前側の縁部の上面と該上面の外側端部に連なる外側面とがなす角部付近に位置合わせすることにより、吸水テープを流し台の手前側の縁部に適切に貼り付けることができるので、流し台にて洗い物をしている人の衣服等の濡れを防止するために、流し台の手前側の縁部に貼り付けて手軽に使用することができる流し台用の吸水テープが提供される。
【００１４】
第２の発明に係る流し台用の吸水テープによれば、吸水テープをテープ幅方向に接着層を内側にして折り曲げたときに、吸水層の側が凸の折り目によって吸水層の表面に生じるテープ長手方向に沿った屈曲部を流し台の手前側の縁部の上面と該上面の外側端部に連なる外側面とがなす角部付近に位置合わせすることにより、吸水テープを流し台の手前側の縁部の上面と外側面との角部の形状に一層適切に沿わせて貼り付けることができるので、流し台にて洗い物をしている人の衣服等の濡れを防止するために、流し台の手前側の縁部の形状に適合するように貼り付け、手軽に使用することができる流し台用の吸水テープが提供される。
【００１５】
第３の発明に係る流し台用の吸水テープによれば、折り目と交差した複数の溝部をテープ長手方向に離隔するように並べて、複数の溝部の間に区分された接着層の部分を形成することにより、流し台の手前側の縁部に対する接着及びはがしを良好に行うことができる流し台用の吸水テープが提供される。
【００１６】
第４の発明に係る流し台用の吸水テープによれば、接着層が複数の微小気泡を有する粘着性の樹脂層であることにより、該樹脂層の気泡の真空吸着作用と樹脂の粘着作用とにより、流し台の手前側の縁部に対する接着及びはがしを良好に行うことができる流し台用の吸水テープが提供される。
【図面の簡単な説明】
【００１７】
【図１】本発明に係る流し台用の吸水テープの平面図である。
【図２】本発明に係る流し台用の吸水テープの裏面を示す平面図である。
【図３】本発明に係る流し台用の吸水テープの図２のＩＩＩ−ＩＩＩ線位置における断面図である。
【図４】本発明に係る流し台用の吸水テープの図２のＩＶ−ＩＶ線位置における断面図である。
【図５】本発明に係る流し台用の吸水テープの使用状態を示す斜視図である。
【図６】本発明に係る流し台用の吸水テープの使用状態を示す断面図である。
【図７】本発明に係る流し台用の吸水テープの他の使用状態を示す断面図である。
【図８】本発明の別の実施形態に係る流し台用の吸水テープの断面図である。
【図９】本発明の別の実施形態に係る流し台用の吸水テープの使用状態を示す断面図である。
【発明を実施するための形態】
【００１８】
以下、本発明に係る流し台用の吸水テープの実施の形態について、図面に基づいて説明する。図１は本発明に係る流し台用の吸水テープの平面図、図２は同流し台用の吸水テープの裏面を示す平面図、図３は同流し台用の吸水テープの図２のＩＩＩ−ＩＩＩ線位置における断面図、図４は同流し台用の吸水テープの図２のＩＶ−ＩＶ線位置における断面図である。
【００１９】
本発明に係る流し台用の吸水テープ１は、吸水層２を有し、該吸水層２の一面に接着層３を設けている。
【００２０】
吸水層２は不織布によって形成してある。不織布の加工は、ポリエステル等の第１の熱可塑性繊維に該熱可塑性繊維よりも低融点で溶融する第２の熱可塑性繊維が混入された繊維を互いにからませて集合してなる比較的薄肉のシート状のウェブを形成し、このシートウェブを重ねて比較的厚肉のラップウェブを成形し、このラップウェブをニードルパンチ加工によりフェルト状とし、このフェルトウェブの一面をニードルパンチ加工により起毛させる。このように形成された不織布は良好な吸水性を有すると共に、適度の撓み性（柔軟性）を有する。
【００２１】
次に上記吸水層２（不織布）の一面（裏面）に接着性及び保形性を有する接着層３を塗布形成してある。接着層３には粘着性を有するアクリル酸エステル共重合体及び熱可塑性繊維とよく相溶するメチルメタアクリレートブタジエン共重合体のエマルジョンに充填材を配合してなる合成樹脂材料が用いられる。
【００２２】
接着層３は以下の工程によって形成される。上述した合成樹脂材料の溶液をポンプによって送り出す送出路の中間に空気源に連通する撹拌室が設けてあり、該撹拌室に空気を吹き込みつつ撹拌室に供給された前記溶液を撹拌することによって該溶液を泡立たせ、この泡状溶液を前記送出路の出口から吸水層２を構成する不織布の裏面に塗布し、塗布された泡状溶液をドクターブレードにより均した後、約１２０℃の乾燥室で１〜２分の間乾燥させ、この後、乾燥室から取り出し、冷却することにより粘着性を有する状態で前記泡状溶液が硬化し、複数の微小気泡を有する粘着性の樹脂の接着層３が形成される。接着層３は約０．５ｍｍの厚さを有する。不織布の裏面に塗布された溶液の一部は不織布に浸透する。
【００２３】
上記接着層３を形成するときの乾燥によって不織布の第２の熱可塑性繊維が溶融し、この第２の熱可塑性繊維によって不織布の第１の熱可塑性繊維を互いに結合することができ、さらに、第２の熱可塑性繊維と溶液のアクリル酸エステル共重合体及びメチルメタアクリレートブタジエン共重合体とが化学反応して分子間に橋かけ結合が生じ、接着層３の不織布との結合強度を高めることができるとともに、不織布の保形性を良好にでき、洗濯による皺を防ぐことができる。
【００２４】
さらに、上述の乾燥によって泡状の溶液のアクリル酸エステル共重合体とメチルメタアクリレートブタジエン共重合体とが化学反応して分子間に橋かけ結合が生じ、また、溶液の全ての泡部が微小気泡となる。この溶液のアクリル酸エステル共重合体とメチルメタアクリレートブタジエン共重合体との橋かけ結合によって接着層３の保形性を良好にでき、該保形性によって、不織布の保形性をより一層良好にでき、洗濯による皺をより一層良好に防ぐことができる。しかも、微小気泡は接着層３の表面にも生ずるため、接着層３を平坦な床面等に押し付けることによりその表面に露出する複数の微小気泡の夫々が内部空気を排出し、真空吸着作用をなし、この真空吸着作用及び前記粘着性が接着層３の接着性を高めている。
【００２５】
次に、以上のように接着層３が形成された吸水層２をテープ形に裁断することによって吸水テープ１が形成される。吸水テープ１の寸法は例えば幅１００ｍｍ、長さ９００ｍｍ程度である。
【００２６】
吸水テープ１の接着層３は、テープ幅方向の中央位置に吸水層２の側が凸の折り目３ａをテープ長手方向に沿って形成してあり、さらに、折り目３ａと交差した複数の溝部３ｂをテープ長手方向に１５ｍｍ程度の間隔で離隔するように並べて設けてある。接着層３の層厚は折り目３ａの部分及び折り目３ａ以外の部分で同一であり、折り目３ａの吸水層２とは反対側には吸水層２の側の凸の高さと同程度の深さの凹部（溝）が形成されている。溝部３ｂの幅は２ｍｍ程度であり、溝部の端部から中央部に向かって傾斜し、中央部で層厚が最も薄くなっている。
【００２７】
上記溝部３ｂは高周波加熱器の略Ｕ字形の加熱部を接着層３の表面に当接させ、該加熱部によって接着層３を一部溶融しつつ加熱押圧することにより形成される。また、折り目３ａは略Ｖ字形の加熱部を接着層３の表面に当接させ、該加熱部によって接着層３を溶融しない温度で加熱押圧することにより形成される。
【００２８】
次に、本発明に係る流し台用の吸水テープの使用について説明する。図５は本発明に係る流し台用の吸水テープの使用状態を示す斜視図、図６は本発明に係る流し台用の吸水テープの使用状態を示す断面図、図７は本発明に係る流し台用の吸水テープの他の使用状態を示す断面図である。
【００２９】
流し台４は天板４ａを有し、天板４ａの中央部に水槽４ｂが設けてある。水槽４ｂの奥側には水栓５が設けてあり、手前側の縁部４ｃは天板４ａの一部を構成している。吸水テープ１をテープ幅方向に接着層３を内側にして折り曲げると、接着層３はテープ長手方向に沿った折り目３ａの吸水層２とは反対側の凹部で屈曲するとともに、吸水層２の側の凸部が吸水層２に食い込み、吸水層２の表面が折り目３ａに沿って突き出た状態になるので、接着層３の折り目３ａを流し台４の手前側の縁部４ｃの上面４ｃ１と該上面４ｃ１の外側端部に連なる外側面４ｃ２とがなす角部付近に位置合わせし、接着層３を流し台４の手前側の縁部４ｃの上面４ｃ１と外側面４ｃ２とに貼り付ける。
【００３０】
図６は縁部４ｃの上面４ｃ１に水返し隆起部を設けていない場合を示し、図７は縁部４ｃの上面４ｃ１に水返し隆起部を設けた場合を示している。いずれの場合も、柔軟性を有する吸水テープ１の接着層３が縁部４ｃの上面４ｃ１及び外側面４ｃ２の表面に沿い、折り目３ａの部分で屈曲して表面が折り目３ａに沿って突き出た吸水テープ１が縁部４ｃの上面４ｃ１と外側面４ｃ２との角部形状に沿って良好に密着していることが確認できる。
【００３１】
次に、本発明の別の実施形態に係る流し台用の吸水テープについて説明する。図８は本発明の別の実施形態に係る流し台用の吸水テープの断面図、図９は本発明の別の実施形態に係る流し台用の吸水テープの使用状態を示す断面図である。
【００３２】
この別の実施形態の吸水テープ１Ａは、接着層３がテープ長手方向に沿った溝３ｃの部分で層厚が薄くなり、吸水層２の側が凸ではない点を除いて、前記の実施形態と同様である。
【００３３】
この別の実施形態の吸水テープ１Ａをテープ幅方向に接着層３を内側にして折り曲げると、接着層３はテープ長手方向に沿った溝３ｃで屈曲した状態になるので、接着層３の溝３ｃを流し台４の手前側の縁部４ｃの上面４ｃ１と外側面４ｃ２とがなす角部付近に位置合わせし、接着層３を流し台４の手前側の縁部４ｃの上面４ｃ１と外側面４ｃ２とに貼り付ける。その結果、吸水テープ１Ａの接着層３が縁部４ｃの上面４ｃ１及び外側面４ｃ２の表面に沿い、吸水テープ１Ａが縁部４ｃの上面４ｃ１と外側面４ｃ２との角部に沿って良好に密着していることが確認できる。
【符号の説明】
【００３４】
１    吸水テープ
１Ａ  吸水テープ
２    吸水層
３    接着層
３ａ  折り目（溝）
３ｂ  溝部
３ｃ  溝 
【図１】
2010259574.tif 000003
【図２】
2010259574.tif 000004
【図３】
2010259574.tif 000005
【図４】
2010259574.tif 000006
【図５】
2010259574.tif 000007
【図６】
2010259574.tif 000008
【図７】
2010259574.tif 000009
【図８】
2010259574.tif 000010
【図９】
2010259574.tif 000011